(57)【特許請求の範囲】
【請求項１】
被写体像を撮像して画像データを出力する撮像手段と、
上記画像データを記憶する第１のメモリと、
画像を表示する表示手段と、
上記画像データに対応した画像を上記表示手段に表示するための表示画像処理を行う表示画像処理手段と、
上記第１のメモリに記憶された上記画像データを第２のメモリに記録するための記録画像処理を行う記録画像処理手段と、
上記画像データに対する上記記録画像処理の実行中に上記撮像手段により新たに撮像が行われる場合には上記記録画像処理を中断し、この中断中に上記新たに撮像された画像データを上記第１のメモリに記憶した後に、上記中断した記録画像処理を完了するまで実行し、その後上記表示画像処理手段によって処理された新たに撮像された画像データを上記表示手段に表示するように制御する制御手段と、
上記記録画像処理を中断したときの中断状態を記憶する状態記憶手段と、
上記状態記憶手段に記憶した中断状態に基づいて、上記中断した記録画像処理を続行するか、または上記中断した記録画像処理の最初に戻って再実行するかを判断する判断手段と、
を具備したことを特徴とする電子カメラ。
【発明の詳細な説明】
【０００１】
【発明の属する技術分野】
本発明は、連続した撮影を行うのに適した電子カメラに関する
【０００２】
【従来の技術】
従来より提案されている電子カメラでは、レリーズ操作を行うことによって撮影開始命令が指示されると、通常はＣＣＤ等の撮像素子により、被写体の像を撮像信号に変換し、この撮像信号をＡ／Ｄ変換してディジタル化した画像データを生成し、該画像データを一旦ＤＲＡＭで構成される第１のメモリに格納する。その後、第１のメモリに対して読み出し及び書き込みを行いながら、ホワイトバランス調整（以降、ＷＢ補正という）、輝度信号Ｙ及び色差信号Ｃの生成（以降、Ｙ／Ｃ生成という）、ＪＰＥＧ等の静止画像圧縮（以降、単に圧縮という）、第２のメモリであるＩＣカード等のメモリカードに記録（以降、カードライトという）、を順次に或いは同時並行的に行っていく。
【０００３】
ところで、従来の電子カメラの画像処理作業では、最初のシーンを撮影した後、次のシーンを撮影するときには、上記の最初の一連の画像処理（ＷＢ補正，Ｙ／Ｃ生成，圧縮，カードライト）が終わらないと、次の撮影を行うことができなかった。つまり、最初に撮影した画像を処理している間、次のレリーズ操作を行ってもレリーズを受け付けなかった。
【０００４】
一方、特開平２−１０５７８６号公報には、連続的に撮影（連写或いは速写という）するときには、フレーム間処理によりデータ量を削減し、連写速度を上げることが提案されている。この提案では、１コマ目と２コマ目の画像が類似していれば、類似している部分は共通に使用し所定の処理を施してデータ量を減らすことにより、メモリカードに書き込むデータ量を削減しようとするものである。
【０００５】
【発明が解決しようとする課題】
しかしながら、上記特開平２−１０５７８６号公報のものは、コマごとに構図が異なる被写体を撮影する場合は、フレーム間処理で削減できるデータ量が小さくなり、しかもフレーム間処理回路が必要なため回路構成が複雑化しコストアップとなる問題があった。
【０００６】
本発明は、上記のような問題に鑑みてなされたものであり、複雑な回路構成を要することなく、撮影画の画像処理中であっても次の撮影を可能にする電子カメラを提供することを目的とする。
【０００７】
【課題を解決するための手段】
本発明の一態様による電子カメラは、被写体像を撮像して画像データを出力する撮像手段と、
上記画像データを記憶する第１のメモリと、
画像を表示する表示手段と、
上記画像データに対応した画像を上記表示手段に表示するための表示画像処理を行う表示画像処理手段と、
上記第１のメモリに記憶された上記画像データを第２のメモリに記録するための記録画像処理を行う記録画像処理手段と、
上記画像データに対する上記記録画像処理の実行中に上記撮像手段により新たに撮像が行われる場合には上記記録画像処理を中断し、この中断中に上記新たに撮像された画像データを上記第１のメモリに記憶した後に、上記中断した記録画像処理を完了するまで実行し、その後上記表示画像処理手段によって処理された新たに撮像された画像データを上記表示手段に表示するように制御する制御手段と、
上記記録画像処理を中断したときの中断状態を記憶する状態記憶手段と、
上記状態記憶手段に記憶した中断状態に基づいて、上記中断した記録画像処理を続行するか、または上記中断した記録画像処理の最初に戻って再実行するかを判断する判断手段と、
を具備している。
【０００８】
本発明によれば、最初のレリーズ操作を行うことによって撮像した画像データの画像処理（ＷＢ補正，Ｙ／Ｃ生成、圧縮，カードライト）の最中に、次のレリーズ操作を行うと、前記の画像処理を中断して、その中断状態を状態記憶手段に記憶し、新たに撮影された撮像データを第１のメモリ内に格納した後、前記状態記憶手段に記憶した中断状態に基づいて、中断して続行できる処理であるか否かを判断する。具体的には、前記状態記憶手段に記憶した中断状態が、例えばＷＢ補正のような単一処理動作の最中であったか、或いは、例えばＹ／Ｃ生成、圧縮，及びカードライトのように各処理を同時並行的（マルチタスク的）に行う同時処理動作の最中であったか、を判断し、中断した時の状態が、ＷＢ補正の単一処理動作中であった場合には、中断した箇所から動作を再開し、Ｙ／Ｃ生成、圧縮，及びカードライトの同時処理動作中であった場合には、中断して続行することが困難な処理動作であるので、その同時処理の最初（Ｙ／Ｃ生成の最初）に戻って動作をやり直すようにする。このように中断した状態が、マルチタスク処理のような動作中であれば、中断点のほかに中断データを記憶する処理は複雑なものとなるので、中断データの記憶を行わずに、その処理動作の最初から動作をやり直すようにする。
【０００９】
【発明の実施の形態】
発明の実施の形態について図面を参照して説明する。
図１は本発明の一実施の形態の電子カメラの構成を示すブロック図である。
【００１０】
図１に示す電子カメラは、ＣＣＤ１１と、Ａ／Ｄ変換器１２と、第１のメモリを構成するＤＲＡＭ１３と、ＤＲＡＭ１３内に設けられたバッファメモリ１３ａと、ＷＢ調整回路１４と、Ｙ／Ｃ生成回路１５と、圧縮回路１６と、メモリカード１８とのインターフェースを行うカードＩ／Ｆ１７と、第２のメモリを構成するメモリカード１８と、状態検出回路１９と、コントロール回路２０と、パワースイッチ２１と、レリーズスイッチ２２と、制御信号ライン２３と、バスライン２４と、検出信号ライン２５と、で構成されている。
【００１１】
ＣＣＤ１１は被写体を撮影して画像信号を出力し、Ａ／Ｄ変換器１２はＣＣＤ１１の出力信号をＡ／Ｄ変換して画像データ（ディジタル信号）とする。ＣＣＤ１１とＡ／Ｄ変換器１２は、レリーズ操作（撮影開始命令）に応答して、被写体を撮像して画像データを出力する撮像手段を構成している。
【００１２】
ＤＲＡＭ１３は、画像データを記憶する第１のメモリを構成している。
【００１３】
ＷＢ調整回路１４は画像データのホワイトバランス補正（ＷＢ補正）を行い、Ｙ／Ｃ生成回路１５は記録画像である輝度信号（Ｙ）と色差信号（Ｃ）を生成するものである。圧縮回路１６は、ＪＰＥＧなどの静止画像圧縮を行い、画像圧縮データを生成するものである。ＷＢ調整回路１４とＹ／Ｃ生成回路１５と圧縮回路１６とは、画像データを符号化する画像データ符号化手段を構成している。
【００１４】
メモリカード１８は、画像データ符号化手段で符号化された画像データを記録する第２のメモリを構成しており、例えば電子カメラ本体に着脱自在に設けられた外部メモリで構成されている。カードＩ／Ｆ１７は、メモリカード１８を接続して該カード１８への画像データの書き込み・読み出しを行うためのものである。
【００１５】
状態検出回路１９は、Ａ／Ｄ変換器１２のＡ／Ｄ変換，ＷＢ調整回路１４のＷＢ補正，Ｙ／Ｃ生成回路１５のＹ／Ｃ生成，圧縮回路１６の圧縮，カードＩ／Ｆの書き込み・読み出し、の各処理動作が行われているか否かを検出するものである。
【００１６】
ＤＲＡＭ１３内に構成されたバッファメモリ１３ａは、状態記憶手段を構成しており、画像データ符号化手段の動作中もしくは第２のメモリへの記録動作中に新たにレリーズ操作（撮影開始命令）が入力された場合に、前記の動作を中断し、中断したときの中断状態（中断点及び中断データ）を記録するものである。
【００１７】
コントロール回路２０は、ＣＰＵで構成され、Ａ／Ｄ変換器１２，ＷＢ調整回路１４，Ｙ／Ｃ生成回路１５，圧縮回路１６，及びカードＩ／Ｆ１７をプログラムデータに基づいて制御するものである。
【００１８】
パワースイッチ２１は、コントロール回路２０に接続して電子カメラへの電源供給をオン，オフするものである。レリーズスイッチ２２は、コントロール回路２０に接続して撮像の開始・停止の操作（レリーズ操作という）を行うものである。
【００１９】
制御信号ライン２３は、コントロール回路２０からの制御信号を、Ａ／Ｄ変換器１２，ＷＢ調整回路１４，Ｙ／Ｃ生成回路１５，圧縮回路１６，及びカードＩ／Ｆ１７に供給する。バスライン２４は、ＤＲＡＭ１３と、Ａ／Ｄ変換器１２，ＷＢ調整回路１４，Ｙ／Ｃ生成回路１５，圧縮回路１６，及びカードＩ／Ｆ１７の各回路との間で、画像データのやり取りをするためのラインである。
【００２０】
以上の構成によって、コントロール回路２０の制御動作に基づき、一回目の撮影開始命令（レリーズ）に応答して撮影した画像データの画像処理中に、二回目の新たな撮影開始命令（レリーズ）がなされたとき、上記画像処理を中断し、状態記憶手段であるバッファメモリ１３ａに画像処理中のデータの中断状態を記憶（中断点及びその画像処理中のデータを記憶）した後、二回目の撮影を行い新たに撮影した画像データを第１のメモリであるＤＲＡＭ１３の２コマ目のデータ領域に記憶し、その後、状態記憶手段であるバッファメモリ１３ａに記憶してある中断状態に基づいて、中断した処理動作を続行するか、中断した処理の最初に戻って動作をやり直すかを判断する。判断の結果、中断した処理が中断可能な場合は、中断する直前の画像データに続けて処理動作を続行し、中断した処理が中断不可能な場合は、中断した処理の最初に戻って処理動作をやり直すことができる。
【００２１】
次に、図１の電子カメラについて、基本的な動作から順に説明する。
まず、図１の電子カメラにおいて、レリーズ操作を一度行ったとき、撮影した画像データがメモリカード１８に記録されるまでのデータの流れを、図２を参照して説明する。
【００２２】
レリーズスイッチ２２の操作により、コントロール回路２０を通して撮影開始命令が与えられると、ＣＣＤ１１は撮影開始命令に応答し、被写体を撮像して画像信号を出力する（ステップＳ1 ）。ＣＣＤ１１より出力された画像信号はＡ／Ｄ変換器１２でディジタル化された後、第１のメモリであるＤＲＡＭ１３に一旦記憶される（ステップＳ2 ）。その後、ＤＲＡＭ１３から読み出してＷＢ調整回路１４にてＷＢ補正を行い（ステップＳ3 ）、再びＤＲＡＭ１３に書き込む（ステップＳ4 ）。そして、ＷＢ補正された画像データをＤＲＡＭ１３から再び読み出し、Ｙ／Ｃ生成回路１５，圧縮回路１６，およびカードＩ／Ｆ１７の各回路でＹ／Ｃ生成、圧縮、およびメモリカード１８へのカードライトの処理を行う（ステップＳ5 ）。なお、画像処理の上記データの流れにおいて、ステップＳ3 のＷＢ補正は単一の処理動作であるが、ステップＳ5 のＹ／Ｃ生成、圧縮，及びカードライトの各処理は同時並行的（マルチタスク的）に行う同時処理動作であって、コントロール回路２０が、Ｙ／Ｃ生成、圧縮，及びカードライトの各処理を同時並行的に時分割にて交互に行うように制御するようになっている。
【００２３】
以上のようにして、レリーズ操作がなされた後は、ＣＣＤ１１で撮影した画像データを、ＤＲＡＭ１３に対して書き込み，読み出しを行いながら、ＷＢ補正の処理動作や、Ｙ／Ｃ生成，圧縮，およびカードライトの処理動作を、自動的に行うことになる。
【００２４】
次に、本発明の特徴的な動作である速写シーケンスについて図３(a) 〜(c) を参照して説明する。図３(a) は従来と同じ動作、図３(b) ，(c) は本発明の実施の形態の動作例を示している。
【００２５】
図３(a) は、従来通りの撮影シーケンスを示している。最初のレリーズ操作によって撮影を開始してから、メモリカード１８への画像データの書き込みを完了するまでの時間は、例えば１０秒かかっている。従って、従来は、二回目のレリーズ操作は一回目のレリーズ操作から１０秒以上経過した後に行わなければならなかった。ここで、○で囲んだ数字１，２（以下、丸数字１，２）は、レリーズスイッチ２２が通常２段スイッチで構成されていることに対応している。丸数字１は、レリーズスイッチ２２を軽く押した状態であり、これが第１レリーズである。この第１レリーズによってオートフォーカス（ＡＦと記す）が行われるようになっている。第１レリーズから０．５秒の後の丸数字２は、レリーズスイッチ２２をさらに深く押した状態であり、これが第２レリーズである。以降、丸数字１はレリーズ操作における第１レリーズ（ＡＦ開始）を示し、丸数字２はレリーズ操作における第２レリーズ（撮影開始）を示している。
【００２６】
第１レリーズによってＡＦが行われた後、第２レリーズによって撮影を開始する。そして、撮影した画像が、電子カメラ本体の例えば背面側に設けてある液晶モニターに一時表示される。この表示処理をレックビューと呼んでいる。第２レリーズからレックビュー画面生成までにかかる時間は、０．５秒である。レックビュー画面生成の後に、電子カメラ本体内では、ＤＲＡＭ１３から画像データを読み出してＷＢ補正の処理を行い、その補正したデータを再びＤＲＡＭ１３に書き込む。このＷＢ補正に要する時間は、３秒である。ＷＢ補正の後、再びＤＲＡＭ１３から画像データを読み出して、Ｙ／Ｃ生成、圧縮、およびカードライトの同時並行処理を行う。Ｙ／Ｃ生成、圧縮、およびカードライトに要する時間は、６．５秒である。
【００２７】
従って、従来は、一回目のレリーズ操作による撮影開始からメモリカード１８へのカードライト終了までに１０秒かかるため、二回目のレリーズ操作を行うには、１０秒以上の撮影間隔をあけなければならなかった。
【００２８】
これに対して、図３(b) は、本発明の実施の形態を示すものであり、図３(a) における一回目のレリーズ操作による動作シーケンスのうちのＷＢ補正の処理が行われている期間（これは、１コマ目のレックビュー画面生成終了後から１コマ目のＷＢ補正終了までの期間であり、一回目のレリーズ操作終了後から測定して０．５〜３．５秒に相当する期間である）に、二回目のレリーズ操作を行った場合の、動作を示している。なお、本実施の形態では、撮影した画像を表示するレックビュー画面生成期間には次のレリーズを受け付けないようになっている。
【００２９】
図３(b) では、一回目のレリーズ操作によって撮影が開始され、そして撮影した画像が液晶モニターに表示する為の処理（レックビュー−１）がなされた後、ＷＢ補正（ＷＢ補正−１）がなされている期間のある時点に（例えば、一回目のレリーズ操作による撮影開始から２．５秒後に）、二回目のレリーズ操作の第１レリーズが行われている。このとき、コントロール回路２０はこの二回目の第１レリーズを受け付け、前記の１コマ目のＷＢ補正処理を一旦中断し中断状態（中断点及び中断データ）をＤＲＡＭのバッファメモリ１３ａに記憶するとともに、２コマ目のＡＦを行い、その後二回目の第２レリーズによって二回目の撮影を開始する。２コマ目の撮影完了後、前記の中断した１コマ目の中断データ（処理途中のデータ）をＷＢ調整回路１４に復帰して１コマ目の画像処理を再び開始する。つまり、途中で中断した状態にある１コマ目のＷＢ補正（ＷＢ補正−１残り）を行い、さらに続けて１コマ目のＹ／Ｃ生成，圧縮，およびカードライトの処理を行う。１コマ目の画像処理がすべて終了すると、２コマ目の撮影画像のレックビュー（レックビュー−２）を実行し、さらに２コマ目のＷＢ補正処理を行い、さらに続けて２コマ目のＹ／Ｃ生成，圧縮，およびカードライトの処理を行い、画像処理作業をすべて完了する。
【００３０】
また、図３(c) は、本発明の実施の形態を示すものであり、図３(a) における一回目のレリーズ操作による動作シーケンスのうちのＹ／Ｃ生成，圧縮，およびカードライトが行われている期間（これは、１コマ目のレックビュー画面生成終了後から１コマ目のＹ／Ｃ生成，圧縮，およびカードライトの終了までの期間であり、一回目のレリーズ操作終了後から測定して３．５〜１０秒に相当する期間である）に、二回目のレリーズ操作を行った場合の、動作を示している。
【００３１】
ここで、前述したように、ＷＢ補正は単一処理動作であって、図３(b) の如くＷＢ補正処理中にレリーズ割り込みが入って処理を一旦中断し中断データ（処理途中のデータ）をＤＲＡＭ１３のバッファメモリ１３ａに退避し再び中断箇所に続けてＷＢ補正処理を行うこと（復帰）は比較的容易である。しかしながら、Ｙ／Ｃ生成、圧縮，及びカードライトの各処理は同時並行的（マルチタスク的）に行う同時処理動作であって、これらの処理動作中にレリーズ割り込みが入って処理を一旦中断し中断データをＤＲＡＭ１３のバッファメモリ１３ａに退避し復帰する動作は、複雑な動作となりプログラム処理が困難である。そこで、その複雑な処理を避けるために、図３(c) では、Ｙ／Ｃ生成、圧縮，及びカードライトの処理中にレリーズ割り込みが入った場合には、一旦これらの処理を中断し、その中断状態（経過状態）及び中断データはＤＲＡＭ１３のバッファメモリ１３ａに記憶した後、レリーズを受け付け、二回目のＡＦ及び撮影を行った後に、処理途中の中断データはバッファメモリ１３ａ及びメモリカード１８から消去し、その後に１コマ目のＹ／Ｃ生成、圧縮，及びカードライトの処理を最初（Ｙ／Ｃ生成の最初）からやり直すようにする。つまり、中断データをバッファメモリ１３ａからＹ／Ｃ生成回路１５，圧縮回路１６，およびカードＩ／Ｆ１７に同時並行的に復帰して処理する複雑な処理が必要ない。さらに言えば、Ｙ／Ｃ生成、圧縮，及びカードライトの処理を最初からやり直す方が、プログラム処理としては簡単になる。
【００３２】
図３(c) では、一回目のレリーズ操作によって撮影が開始され、そして撮影した画像が液晶モニターに表示する為の処理（レックビュー−１）がなされた後、ＷＢ補正処理がなされ、さらに続けてＹ／Ｃ生成，圧縮，およびカードライトの処理が行われる期間のある時点に（例えば、一回目のレリーズ操作による撮影開始から９秒後に）、二回目のレリーズ操作の第１レリーズが行われている。この場合、コントロール回路２０は二回目の第１レリーズを受け付け、前記の１コマ目のＹ／Ｃ生成，圧縮，およびカードライトの画像処理を一旦中断し中断状態（中断点及び中断データ）をＤＲＡＭのバッファメモリ１３ａに記憶するとともに、２コマ目のＡＦを行い、その後二回目の第２レリーズによって二回目の撮影を開始する。２コマ目の撮影完了後、処理途中の中断データをバッファメモリ１３ａから消去すると同時に中断することによって途中までメモリカード１８に書き込まれたデータ（このカードライト中断データは、Ｙ／Ｃ生成，圧縮，およびカードライトの各処理が同時並行的に行われるために、中断時にメモリカード１８に記録されている）を消去し、再び１コマ目のＹ／Ｃ生成，圧縮，およびカードライトの処理を最初（Ｙ／Ｃ生成の最初）からやり直す。１コマ目の画像処理がすべて終了すると、２コマ目の撮影画像のレックビュー画面生成（レックビュー−２）を行い、さらに２コマ目のＷＢ補正処理を行い、さらに続けて２コマ目のＹ／Ｃ生成，圧縮，およびカードライトの処理を行い、画像処理作業をすべて完了する。
【００３３】
このように１コマ目の画像処理中に２コマ目のレリーズ（撮影開始命令）がなされると、１コマ目の画像処理を中断して２コマ目のレリーズ（撮影開始命令）を受け付けて撮影を行い、２コマ目の新たに撮影した画像データをＤＲＡＭに記憶した後、前記の中断した１コマ目の画像処理に続けて続行するか或いは中断した処理を最初からやり直すことによって再開し、さらに続けて２コマ目の画像処理を行うことができる。ユーザーにとっては、一回目の画像処理中に二回目のレリーズがすぐに受け付けられるので、速写あるいは連写する場合に、待ち時間がなくなり非常に有用である。
【００３４】
次に、図３(b) ，(c) に相当する速写シーケンスを実行するに必要な図１の回路動作を、図４および図５のフローチャートを参照して説明する。
【００３５】
図４において、まず、電子カメラのパワースイッチ２１がオンされているか否かを判断し（ステップＳ11）、パワースイッチオンならばレリーズスイッチ２２がオンか否かを判断する（ステップＳ12）。レリーズスイッチオンならば、自動露出調整（ＡＥ），自動合焦点調整（ＡＦ）を行い（ステップＳ13，Ｓ14）、レリーズ割込みを禁止状態とする（ステップＳ15）。このレリーズ割込み禁止の状態で、画像の撮影及びその画像データのＤＲＡＭ１３への書込みを行い（ステップＳ16）、さらに液晶モニターに撮影画像を画面表示する為の処理（レックビュー）を行う（ステップＳ17）。そして、このレックビュー後にレリーズ割込みを許可状態として（ステップＳ18）、次に画像処理段階に入る。なお、レリーズ割込み許可後に、レリーズ割込みが入った場合は、後述の図５に示す処理に移行する。
【００３６】
画像処理段階では、まず、ＤＲＡＭ１３の画像データを読み出し、ホワイトバランス処理、Ｙ／Ｃ生成、圧縮、およびカードライトの各処理を行う（ステップＳ19〜Ｓ23）。そして次に、未処理の撮影データがあるか否かを判断し（ステップＳ24）、未処理データがあれば、前述のステップＳ19に戻ってＳ19〜Ｓ23の画像処理ステップを繰り返す。ステップＳ24で、未処理データがなければ、レリーズ割込みを禁止状態とし（ステップＳ25）、レリーズスイッチ２２がオンしたままか否かを判断し（ステップＳ26）、レリーズスイッチ２２がオフしていれば、先のパワースイッチのオンを判定するステップＳ11に戻る。
【００３７】
次に、前述のステップＳ18によるレリーズ割込み許可の後において、ステップＳ19〜Ｓ23の画像処理期間に二回目のレリーズ操作によるレリーズ割込みが入った場合の動作を、図５を参照して説明する。
【００３８】
図４のステップＳ19〜Ｓ23の画像処理期間に二回目のレリーズ操作がなされると、図５の割込み処理ルーチンに移行する。まず、一回目の画像データについての画像処理作業を中断して、その中断点（ステップＳ19〜Ｓ23のいずれか）を状態検出回路１９の検出結果に基づいてＤＲＡＭ１３のバッファ領域１３ａに記憶するとともに中断データをＤＲＡＭ１３のバッファ領域１３ａに退避（記憶）させる（ステップＳ31〜Ｓ33）。その後にはじめて二回目のレリーズ操作に基づくＡＥ、ＡＦ、新たな２コマ目の画像の撮影、及び該撮影データのＤＲＡＭ１３への書込み、さらにはイメージ画面表示（レックビュー）を順次行う（ステップＳ34〜Ｓ37）。そして、先の中断点及び中断データをＤＲＡＭ１３のバッファ領域１３ａから読み出し（ステップＳ38）、一回目の画像処理作業における前記中断点を判断する（ステップＳ39）。中断点がＷＢ補正処理であった場合は、中断データをＷＢ調整回路１４に戻して（図４のステップＳ20）作業を続行する。また、中断点がＹ／Ｃ生成、圧縮、およびカードライトの処理であった場合は、処理中の中断データを消去して（同時に、カードライト処理によってメモリカード１８に書き込まれた記録途中のデータも消去する）、Ｙ／Ｃ生成、圧縮、およびカードライトの処理を最初からやり直す（図４のステップＳ21の一回目のＹ／Ｃ生成、圧縮、およびカードライトの各処理に戻ってやり直す）。
【００３９】
尚、以上述べた実施の形態では、撮像手段からの画像データを、画像データ符号化手段にて符号化して、第２のメモリに記録する構成となっているが、本発明はこのような構成に限定されず、撮像手段からの画像データを符号化することなくそのまま第２のメモリに記録する構成としてもよい。このように構成した場合には、コントロール回路２０の制御によって、一回目の撮影開始命令に応答して撮影した画像データをメモリカード１８へ記録中に、二回目の新たな撮影開始命令がなされたとき、状態記憶手段であるバッファメモリ１３ａに画像処理中のデータの中断点及びその画像処理中のデータを記憶した後、二回目の撮影を行いその新たに撮影した画像データを第１のメモリであるＤＲＡＭ１３の２コマ目のデータ領域に記憶し、その後、前記のバッファメモリ１３ａに記憶された中断する直前の動作状態（中断点及び中断データ）に基づいて前記の中断した画像記録動作を続行（再開）するように動作することになる。
【００４０】
【発明の効果】
以上述べたように本発明によれば、複雑な回路構成を要することなく、撮影画の画像処理中であっても次の撮影を可能にできる効果がある。
【図面の簡単な説明】
【図１】本発明の一実施の形態の電子カメラの構成を示すブロック図。
【図２】図１におけるレリーズ操作後の画像データの流れを示す図。
【図３】図１の電子カメラによる速写シーケンスを説明する図。
【図４】図１の電子カメラで速写シーケンスを実行するに必要な回路動作を説明するフローチャート。
【図５】図１の電子カメラで速写シーケンスを実行するに必要な回路動作を説明するフローチャート。
【符号の説明】
１１…ＣＣＤ
１２…Ａ／Ｄ変換器
１１と１２…撮像手段
１３…ＤＲＡＭ（第１のメモリ）
１４…ＷＢ調整回路
１５…Ｙ／Ｃ生成回路
１６…圧縮回路
１４と１５と１６…画像データ符号化手段
１３ａ…バッファメモリ（状態記憶手段）
１７…カードＩ／Ｆ
１８…メモリカード（第２のメモリ）
１９…状態検出回路
２０…コントロール回路
２１…パワースイッチ
２２…レリーズスイッチ（撮影開始命令スイッチ）
【図１】
0004047448.tif 000002
【図２】
0004047448.tif 000003
【図３】
0004047448.tif 000004
【図４】
0004047448.tif 000005
【図５】
0004047448.tif 000006